(57)【要約】【課題】  外観のデザインを損なうことなく、高性能の無線通信を行うことができる表示装置及び撮像装置を提供する。【解決手段】  液晶モニタ１８の表面又は裏面には、アンテナ７０、アンテナ保護部材７２及び電極７４を備えるアンテナユニット５０が配設されている。アンテナ７０は、導電性を有し、透明度が高い透明電極により形成される。アンテナ７０は、電極７４を介して無線通信ユニット５２に接続される。アンテナ保護部材７２は、上記アンテナ７０を構成する透明電極材料と透明度、屈折率が略同じ絶縁体材料により、上記アンテナ７０を覆うように形成される。【選択図】      図３
2007235751.tif 000002
【特許請求の範囲】
【請求項１】
画像を表示する表示面を有する表示手段と、
前記表示手段の表示面上に透明電極材料により形成されたアンテナと、
前記アンテナを介して無線通信を行う無線通信手段と、
を備えることを特徴とする表示装置。
【請求項２】
画像を表示する表示面を有する表示手段と、
前記表示面の反対側から前記表示手段を照明する照明手段と、
透明電極材料により形成され、前記表示手段の表示面とは反対側の面上に形成されたアンテナと、
前記アンテナを介して無線通信を行う無線通信手段と、
を備えることを特徴とする表示装置。
【請求項３】
前記アンテナは、第１のアンテナと第２のアンテナの少なくとも１対のアンテナを含んでおり、
前記第１、第２のアンテナは、その両端の距離が無線通信に用いる電波の波長の略２分の１の長さ、又は前記波長の２分の１より小さくなるように配設されていることを特徴とする請求項１又は２記載の表示装置。
【請求項４】
前記表示面は、前記アンテナを収めることができる大きさであることを特徴とする請求項３記載の表示装置。
【請求項５】
請求項１から４のいずれか１項記載の表示装置を備えることを特徴とする撮像装置。
【発明の詳細な説明】
【技術分野】
【０００１】
本発明は表示装置及び撮像装置に係り、特に無線通信機能を有する表示装置、及びこのような表示装置を備える撮像装置に関する。
【背景技術】
【０００２】
従来、金属製の後カバーの背面より膨出させたプラスチック製のファインダ接眼部カバーの内側に、無線通信ユニットのチップアンテナが配設された電子カメラについて開示されている（特許文献１）。特許文献２には、電波時計用の標準電波を受信するアンテナが撮像用レンズを遮蔽する保護カバー内、カメラ表面の握り部内、又は撮像用レンズを支持する鏡胴内に配設されたカメラについて開示されている。また、特許文献３には、棒状で、カメラ本体に対して立てられた第１の姿勢と、倒された第２の姿勢をとることができるアンテナを有するディジタルカメラについて開示されている。
【特許文献１】特開２００５−１１５１２６号公報
【特許文献２】特開２００３−３２２８９８号公報
【特許文献３】特開２００３−３１９２２５号公報
【発明の開示】
【発明が解決しようとする課題】
【０００３】
上記特許文献１及び２では、アンテナがカメラの筐体の内部に配置されているため、カメラの筐体等の電磁的影響により、アンテナの指向性が劣化し、無線通信が不安定になるという問題があった。特に、カメラの筐体が金属を含む場合には無線通信の性能の低下が顕著であった。上記特許文献３によれば、アンテナの先端がカメラの先端から離れており、無線通信の性能を向上させることができるが、アンテナがカメラの表面から突出しているため、カメラの外観デザインの自由度を損なうという問題があった。
【０００４】
本発明はこのような事情に鑑みてなされたもので、外観のデザインを損なうことなく、高性能の無線通信を行うことができる表示装置及び撮像装置を提供することを目的とする。
【課題を解決するための手段】
【０００５】
上記目的を達成するために請求項１に係る表示装置は、画像を表示する表示面を有する表示手段と、前記表示手段の表示面上に透明電極材料により形成されたアンテナと、前記アンテナを介して無線通信を行う無線通信手段とを備えることを特徴とする。
【０００６】
請求項１に係る表示装置によれば、透明電極材料により構成されるアンテナを表示手段に配設することにより、表示装置の筐体等が金属等の導体を含む場合であっても、電磁的な影響を受けることがないため、無線通信機能の性能を確保することができる。
【０００７】
請求項２に係る表示装置は、画像を表示する表示面を有する表示手段と、前記表示面の反対側から前記表示手段を照明する照明手段と、透明電極材料により形成され、前記表示手段の表示面とは反対側の面上に形成されたアンテナと、前記アンテナを介して無線通信を行う無線通信手段とを備えることを特徴とする。
【０００８】
請求項２に係る表示装置によれば、請求項１と同様、透明電極材料により構成されるアンテナを表示手段に配設することにより、表示装置の筐体等が金属等の導体を含む場合であっても、電磁的な影響を受けることがないため、無線通信機能の性能を確保することができる。
【０００９】
請求項３に係る表示装置は、請求項１又は２において、前記アンテナは、第１のアンテナと第２のアンテナの少なくとも１対のアンテナを含んでおり、前記第１、第２のアンテナは、その両端の距離が無線通信に用いる電波の波長の略２分の１の長さ、又は前記波長の２分の１より小さくなるように配設されていることを特徴とする。また、請求項４に係る表示装置は、請求項３において、前記表示面が前記アンテナを収めることができる大きさであることを特徴とする。
【００１０】
請求項３及び４に係る表示装置によれば、無線通信に必要なアンテナの長さを確保することができるので、無線通信に用いる電波を確実に受信することができる。
【００１１】
請求項５に係る撮像装置は、請求項１から４のいずれか１項記載の表示装置を備えることを特徴とする。
【００１２】
請求項５に係る撮像装置によれば、上記表示装置を備えることにより、高品質の無線通信機能を有する撮像装置を実現することができる。
【発明の効果】
【００１３】
本発明によれば、透明電極により構成されるアンテナを表示手段に配設することにより、表示装置の外装部等の電磁的な影響を受けることがないため、無線通信機能の性能を確保することができる。
【発明を実施するための最良の形態】
【００１４】
以下、添付図面に従って本発明に係る表示装置及び撮像装置の好ましい実施の形態について説明する。
【００１５】
図１は、本発明の一実施形態に係る表示装置を備える撮像装置の外観を示す斜視図である。図１に示すように、本実施形態の撮像装置１０のカメラボディ１２は、扁平状の四角い箱型に形成されている。図１に示すように、カメラボディ１２の背面には、ファインダ接眼部１４、ファインダランプ１６、液晶モニタ（ＬＣＤ）１８、操作スイッチ２０等が設けられている。また、カメラボディ１２の上面には、レリーズボタン２２及び電源スイッチ２４が設けられている。なお、本実施形態の表示装置としては、液晶モニタ１８のほか、有機ＥＬ（electro-luminescence）等の他の方式のものを用いることも可能である。
【００１６】
図２は、撮像装置１０の主要構成を示すブロック図である。図２に示すように、ＣＰＵ３０は、バス３２を介して撮像装置１０内の各部に接続されており、操作部３４等からの操作入力に基づいて撮像装置１０の動作を制御する統括制御部である。操作部３４は、レリーズボタン２２や電源スイッチ２４、上記操作スイッチ２０（動作モード切り替えスイッチ、十字キー等）を含んでおり、ユーザからの操作入力を受け付ける操作部材である。レリーズボタン２２は２段階式に構成されており、レリーズボタン２２を軽く押して止める「半押し（Ｓ１＝ＯＮ）」の状態で自動ピント合わせ（ＡＦ）及び自動露出制御（ＡＥ）が作動してＡＦとＡＥをロックし、「半押し」から更に押し込む「全押し（Ｓ２＝ＯＮ）」の状態で撮像が実行される。
【００１７】
メモリ３６は、メモリ制御部３８によって制御され、ＣＰＵ３０が処理するプログラム及び制御に必要な各種データ等が格納されるＲＯＭや、ＣＰＵ３０が各種の演算処理等を行う作業用領域及び画像処理領域となるＳＤＲＡＭ等を有している。
【００１８】
外部通信インターフェース（外部通信Ｉ／Ｆ）４０は、ネットワークや外部出力機器（例えば、パーソナルコンピュータやテレビジョン、ディスプレイ、プリンタ、外部記録装置）等と接続するための機器で、所定のプロトコルにしたがって各種データの送受信を行う。なお、データの送受信の方式としては、例えば、ＵＳＢやＩＥＥＥ１３９４、有線ＬＡＮ、赤外線通信（ＩｒＤＡ）、Bluetooth（登録商標）等を用いることができる。
【００１９】
アンテナユニット５０は、外部機器やネットワークと無線通信を行うためのブロックである。無線通信ユニット５２は、上記アンテナユニット５０を介して、外部機器との間でデータの送受信を行うことができる。これにより、例えば、パーソナルコンピュータ（ＰＣ）や無線通信機能を有するストレージ装置、プリンタ等に撮像した画像を出力することができる。また、アンテナユニット５０を介してネットワークに接続して、ウェブページの閲覧や電子メールの送受信を行うことができる。また、無線通信ユニット５２により、ＧＰＳ情報を受信したり、標準電波を受信して撮像装置１０の内部時計の誤差の調整を行えるようにしてもよい。
【００２０】
なお、アンテナユニット５０は、デジタル放送、いわゆるワンセグ放送の受信に用いるものであってもよい。この場合、無線通信ユニット５２に代えて、デジタル放送の電波を受信して、受信したデジタル放送の映像を液晶モニタに出力する放送受信ユニットを設ければよい。
【００２１】
撮像素子５６は、光学系（レンズ）５４を介して入射した光を受け止めて電気信号に変換する素子であり、例えば、ＣＣＤである。この電気信号は、図示せぬプリアンプによって増幅され、Ａ／Ｄ変換器５８によってデジタル信号に変換されて、画像処理部６０に入力される。
【００２２】
撮像装置１０は、画像を撮像するための撮像モードと、撮像した画像を表示、再生するための再生モードの２つの動作モードを備えており、動作モードの設定はユーザによる操作部３４からの操作入力により行われる。
【００２３】
撮像モード時には、画像処理部６０によって撮像素子５６から出力された電気信号が処理されて画角確認用の画像データ（スルー画）が作成され、液晶モニタ１８に表示される。レリーズボタン２２が操作されて画像が撮像されると、撮像素子５６から出力された電気信号が画像処理部６０によって処理されて記憶用の画像ファイルが作成される。この記憶用の画像ファイルは、メモリカード６２に所定のファイル形式で記憶される。ここで、メモリカード６２は、例えば、半導体メモリ等であり、メモリカード６２への入出力は外部メモリ制御部６４によって制御される。一方、再生モード時には、画像処理部６０によってメモリカード６２に記憶された画像データが読み出されて表示用の画像データが作成されて液晶モニタ１８に表示される。
【００２４】
次に、アンテナユニット５０について、図３及び図４を参照して説明する。図３は、液晶モニタ１８を示す平面図である。図３に示すように、液晶モニタ１８を構成するガラス基板１８´にはアンテナユニット５０が配設されている。アンテナユニット５０は、アンテナ７０、アンテナ保護部材７２及び電極７４を含んでいる。図４に示すように、アンテナユニット５０は液晶モニタ１８のガラス基板１８´の表面（カメラボディ１２の外側の面）に貼り付けられる。
【００２５】
アンテナ７０は、導電性を有し、透明度が高い透明電極材料により形成される。この透明電極材料としては、例えば、ＩＴＯ（Indium Tin Oxide）やＩＺＯ（Indium Zinc Oxide）、酸化亜鉛、ＺｎＯ：Ａｌ（ＺＡＯ）、導電性ポリマー等を用いることができる。アンテナ７０は、２対のアンテナ７０Ａ−１、７０Ａ−２、７０Ｂ−１及び７０Ｂ−２により構成されるダイポールアンテナであり、電極７４を介して無線通信ユニット５２（図２参照）に接続される。なお、アンテナの数は２対より多くても少なくてもよく、アンテナのレイアウトは液晶モニタ１８の縦又は横方向であってもよい。また、アンテナ７０としては、図３に示したダイポールアンテナ以外のアンテナを用いてもよい。
【００２６】
図３に示すように、１対のアンテナ７０Ａ−１及びアンテナ７０Ａ−２と、アンテナ７０Ｂ−１及び７０Ｂ−２は、それぞれ液晶モニタ１８の対角線方向に配置されており、その両端の距離ｄ１が、無線通信に用いる電波の波長λの２分の１とほぼ同じ長さ、又は波長λの２分の１より小さくなるように配置される（ｄ１≦λ／２）。従って、アンテナ１本の長さｄ２は、上記波長λの４分の１とほぼ同じ長さ、又は波長λの４分の１より小さくなる（ｄ２≦λ／４）。また、液晶モニタ１８及びアンテナ保護部材７２のサイズは、アンテナ７０を収めることができるサイズとなる。アンテナ保護部材７２は、上記アンテナ７０を包含するシート上の部材である。アンテナ保護部材７２は、上記アンテナ７０を構成する透明電極材料と透明度、屈折率が略同じ絶縁体材料により形成される。
【００２７】
上記アンテナユニット５０を形成する際には、まず、ガラス等の基板（不図示）の表面に、スパッタリング法等により透明電極材料を成膜し、この透明電極材料をエッチングによりパターニングして、アンテナ７０及び電極７４を形成する。そして、このアンテナ７０及び電極７４を覆うように、透明の絶縁材料を成膜してアンテナ保護部材７２を形成し、このアンテナ保護部材７２の表面を平滑化して基板から剥離することにより、アンテナユニット５０が完成する。
【００２８】
なお、アンテナユニット５０は、アンテナ保護部材７２を含まない構成としてもよい。また、アンテナユニット５０は、ガラス基板１８´の表面に直接印刷するようにしてもよい。
【００２９】
本実施形態によれば、アンテナユニット５０を液晶モニタ１８の表面に配設することにより、カメラボディ１２が金属を含む場合であっても、カメラボディ１２の電磁的な影響を受けることがない。これにより、無線通信機能の性能を確保することができる。また、本実施形態によれば、液晶モニタ１８にアンテナユニット５０が配設されているため、撮像装置１０に落下等の衝撃が加えられて、液晶モニタ１８が破損した場合に、ガラス基板１８´の破片の飛散を防止できるという効果を有する。
【００３０】
なお、本実施形態では、アンテナ７０を透明の絶縁体材料からなるアンテナ保護部材７２で覆うようにしたが、例えば、ガラス基板１８´の表面に溝を形成して、透明電極材料をこの溝に埋め込むことによりアンテナ７０を形成するようにしてもよい。また、アンテナ７０を液晶モニタ１８の４辺に形成するようにしてもよい。
【００３１】
また、アンテナユニット５０は、図５に示すように、液晶モニタ１８の裏面側に形成するようにしてもよい。
【００３２】
なお、本発明の表示装置は、上記した撮像装置のほか、パーソナルコンピュータ（例えば、ノート型ＰＣ）のモニタや、携帯情報端末（ＰＤＡ）、無線通信機能を有する携帯フォトプレーヤ（例えば、iPod Photo（登録商標）等）、電子ブック端末、携帯電話機、電波時計等に適用することができる。
【図面の簡単な説明】
【００３３】
【図１】本発明の一実施形態に係る表示装置を備える撮像装置の外観を示す斜視図
【図２】撮像装置１０の主要構成を示すブロック図
【図３】液晶モニタ１８を示す平面図
【図４】アンテナユニット５０を製造する工程を示す断面図
【図５】アンテナユニット５０をガラス基板１８´の裏面側に形成した例を示す断面図
【符号の説明】
【００３４】
１０…撮像装置、１２…カメラボディ、１４…ファインダ接眼部、１６…ファインダランプ、１８…液晶モニタ（ＬＣＤ）、２０…操作スイッチ、２２…レリーズボタン、２４…電源スイッチ、３０…ＣＰＵ、３２…バス、３４…操作部、３６…メモリ、３８…メモリ制御部、４０…外部通信Ｉ／Ｆ、５０…アンテナユニット、５２…無線通信ユニット、５４…光学系（レンズ）、５６…撮像素子、５８…Ａ／Ｄ変換器、６０…画像処理部、６２…メモリカード、６４…外部メモリ制御部、７０…アンテナ、７２…アンテナ保護部材、７４…電極、１８´…ガラス基板
【図１】
2007235751.tif 000003
【図２】
2007235751.tif 000004
【図３】
2007235751.tif 000005
【図４】
2007235751.tif 000006
【図５】
2007235751.tif 000007